(57)【要約】【課題】ユーザＩＤやパスワードなどの接続許可を受ける為の情報をわざわざ入力しなくてもインターネットへの接続の許可を受けることができる通信ネットワーク接続システムを提供することを目的とす。【解決手段】インターネット接続装置１が、ユーザ端末４よりＭＡＣアドレスを受付けて、そのＭＡＣアドレスを送信する。そして接続許可判定装置３が、インターネット接続装置１から受信したＭＡＣアドレスがＭＡＣアドレス一覧記憶部３３にあるか否かに基づいて接続の許可判定を行い、ＭＡＣアドレスがＭＡＣアドレス一覧記憶部３３にある場合にのみ接続許可情報を生成して送信する。インターネット接続装置１は、接続許可情報の受信に基づいてユーザ端末４のインターネットへの接続を行う。【選択図】  図１
2004295558.tif 000002
【特許請求の範囲】
【請求項１】
ユーザ端末の通信ネットワークへの接続を行う通信ネットワーク接続装置と前記接続の許可判定を行う接続許可判定装置とを有し、前記通信ネットワーク接続装置を複数の異なる通信ネットワーク接続地点に設置した、通信ネットワーク接続システムであって、
前記通信ネットワーク接続装置は、
前記ユーザ端末より当該ユーザ端末を一意に特定できるユーザ端末識別情報を受付けるユーザ端末識別情報受付手段と、
前記ユーザ端末識別情報を送信するユーザ端末識別情報送信手段と、
前記ユーザ端末情報の送信後に受信する接続許可情報に基いて前記ユーザ端末の前記通信ネットワークへの接続を行う接続部とを備え、
前記接続許可判定装置は、
前記ユーザ端末識別情報の一覧を保持するユーザ端末識別情報記憶手段と、
前記通信ネットワーク接続装置から受信した前記ユーザ端末識別情報が前記ユーザ端末識別情報の一覧にあるか否かに基づいて前記接続の許可判定を行い、前記ユーザ端末情報が前記一覧にある場合にのみ前記通信ネットワークへの接続許可を示す前記接続許可情報を生成する接続許可判定手段と、
前記接続許可情報を送信する接続許可情報送信手段と、
を備えることを特徴とする通信ネットワーク接続システム。
【請求項２】
メール送信装置を備えた前記通信ネットワーク接続システムであって、
前記ユーザ端末識別情報記憶手段が、前記ユーザ端末識別情報と前記ユーザ端末の電子メールアドレスとを対応付けた前記一覧を予め保持しておき、
前記接続許可情報送信手段が、前記電子メールアドレスを送信する電子メールアドレス送信手段を備え、
前記メール送信装置において、
前記通信ネットワーク接続地点固有の電子メールを記憶する電子メール記憶手段と、
前記接続許可判定装置が送信した前記電子メールアドレスを受信して、前記電子メールを前記電子メール記憶装置から読み出し、その読み出した前記電子メールを前記受信した電子メールアドレス宛てに送信する電子メール送信手段と、
を備えることを特徴とする請求項１に記載の通信ネットワーク接続システム。
【請求項３】
前記ユーザ端末識別情報はＭＡＣアドレスであり、
前記ユーザ端末は無線通信を利用して前記通信ネットワーク接続装置にアクセスし、前記ユーザ端末識別情報を送信することを特徴とする請求項１に記載の通信ネットワーク接続システム。
【請求項４】
前記メール送信装置は、
前記ユーザ端末が送信したユーザ端末識別情報を受信して前記接続許可判定装置に転送するユーザ端末識別情報転送手段と、
前記接続許可判定装置が送信した前記接続許可情報を前記通信ネットワーク接続装置に転送する接続許可情報転送手段と、
を備えることを特徴とする請求項２に記載の通信ネットワーク接続システム。
【請求項５】
ユーザ端末の通信ネットワークへの接続を行う通信ネットワーク接続装置と、ユーザ端末識別情報の一覧を保持するユーザ端末識別情報記憶手段を備えた前記接続の許可判定を行う接続許可判定装置とを有し、前記通信ネットワーク接続装置を複数の異なる通信ネットワーク接続地点に設置した通信ネットワーク接続システムにおける通信ネットワーク接続方法であって、
前記通信ネットワーク接続装置が、前記ユーザ端末より当該ユーザ端末を一意に特定できるユーザ端末識別情報を受付けるユーザ端末識別情報受付過程と、
前記通信ネットワーク接続装置が、前記ユーザ端末識別情報を送信するユーザ端末識別情報送信過程と、
前記接続許可判定装置が、前記通信ネットワーク接続装置から受信した前記ユーザ端末識別情報が前記ユーザ端末識別情報の一覧にあるか否かに基づいて前記接続の許可判定を行い、前記ユーザ端末情報が前記一覧にある場合にのみ前記通信ネットワークへの接続許可を示す前記接続許可情報を生成する接続許可判定過程と、
前記接続許可判定装置が、前記接続許可情報を送信する接続許可情報送信過程と、
前記通信ネットワーク接続装置が、前記接続許可判定装置の送信した前記接続許可情報の受信に基づいて前記ユーザ端末の前記通信ネットワークへの接続を行う接続許可過程と、
を備えることを特徴とする通信ネットワーク接続方法。
【請求項６】
前記通信ネットワーク接続地点固有の電子メールを記憶する電子メール記憶手段を備えたメール送信装置と、前記ユーザ端末識別情報と前記ユーザ端末の電子メールアドレスと対応付けた前記一覧を予め保持する前記ユーザ端末識別情報記憶手段を備えた前記接続許可判定装置とを有する前記通信ネットワーク接続システムにおける通信ネットワーク接続方法であって、
前記接続許可判定装置が、前記接続許可情報と共に前記電子メールアドレスを送信する電子メールアドレス送信過程と、
前記メール送信装置が、前記接続許可判定装置の送信した前記電子メールアドレスを受信して、前記電子メールを前記電子メール記憶装置から読み出し、その読み出した前記電子メールを前記受信した電子メールアドレス宛てに送信する電子メール送信過程と、
を備えることを特徴とする請求項５に記載の通信ネットワーク接続方法。
【発明の詳細な説明】
【０００１】
【発明の属する技術分野】
この発明は、コンピュータシステムに係り、特に、通信ネットワーク接続システムおよび通信ネットワーク接続方法に関するものである。
【０００２】
【従来の技術】
従来より、ユーザの端末のインターネットへの接続を処理するインターネット接続装置が駅構内や飲食店やコンビニエンスストアに設置された場所をホットスポットと呼んでいる。このホットスポットにより提供されるインターネット接続サービスは、例えば、インターネット接続サービス業者によって提供されるサービスであり、ホットスポットによってインターネット接続サービス業者は異なっている。そしてこのホットスポットにおいて、ユーザは無線通信などを介してインターネット接続装置に端末を接続する。尚、この時ユーザはインターネット接続装置に自分の端末を接続する際にはユーザＩＤやパスワードを送信してインターネット接続の許可を受ける。そして、インターネット接続装置は当該接続の許可をした場合にのみユーザの端末をインターネットに接続する。尚、従来技術としては特許文献１が公開されている。
【０００３】
【特許文献１】
特開平１０−７０５４０号公報
【０００４】
【発明が解決しようとする課題】
ここで、インターネット接続サービス業者は、他のインターネット接続サービス業者がインターネット接続サービスを提供しているホットスポットにおいて、自社のユーザの端末もインターネット接続ができるようにする為に、インターネット接続サービス業者間で提携をしている。これによりユーザは複数のインターネット接続業者が提供しているホットスポットでインターネット接続サービスを受けることができる。尚、インターネット接続サービス業者間の提携により他のインターネット接続業者の提供するホットスポットにおいてインタネット接続ができるサービスをローミングサービスと呼ぶ。
しかしながら、上述のホットスポットにおいては、各インターネット接続サービス業者毎にユーザ端末の接続許可の方法が異なっているので、ユーザは端末に各ホットスポットの接続許可の方法に対応した接続用ソフトウェアをインストールしなければならなかった。また、ユーザは端末のインターネット接続を行う際にユーザＩＤやパスワードなどの接続許可を受ける為の情報を入力しなければならなかった。
また従来のホットスポットにおいては、接続したユーザ端末にホットスポット固有の広告を示す電子メールを送るというサービスは存在しなかった。
そこでこの発明は、ユーザがホットスポット毎に異なる接続用ソフトウェアを端末にインストールしなくてもインターネットへの接続の許可判定をすることができ、またユーザ端末にユーザＩＤやパスワードなどの接続許可を受ける為の情報をわざわざ入力しなくてもインターネットへの接続の許可を受けることができ、さらに、ユーザ端末をインターネットへ接続した際には、インターネット接続サービスを提供しているホットスポット固有の広告メールを、直ちにユーザ端末に送信することができる通信ネットワーク接続システムおよび通信ネットワーク接続方法を提供することを目的としている。
【０００５】
【課題を解決するための手段】
本発明は、上述の課題を解決すべくなされたもので、ユーザ端末の通信ネットワークへの接続を行う通信ネットワーク接続装置と前記接続の許可判定を行う接続許可判定装置とを有し、前記通信ネットワーク接続装置を複数の異なる通信ネットワーク接続地点に設置した、通信ネットワーク接続システムであって、前記通信ネットワーク接続装置は、前記ユーザ端末より当該ユーザ端末を一意に特定できるユーザ端末識別情報を受付けるユーザ端末識別情報受付手段と、前記ユーザ端末識別情報を送信するユーザ端末識別情報送信手段と、前記ユーザ端末情報の送信後に受信する接続許可情報に基いて前記ユーザ端末の前記通信ネットワークへの接続を行う接続部とを備え、前記接続許可判定装置は、前記ユーザ端末識別情報の一覧を保持するユーザ端末識別情報記憶手段と、前記通信ネットワーク接続装置から受信した前記ユーザ端末識別情報が前記ユーザ端末識別情報の一覧にあるか否かに基づいて前記接続の許可判定を行い、前記ユーザ端末情報が前記一覧にある場合にのみ前記通信ネットワークへの接続許可を示す前記接続許可情報を生成する接続許可判定手段と、前記接続許可情報を送信する接続許可情報送信手段とを備えることを特徴とする通信ネットワーク接続システムである。
【０００６】
上述の構成によれば、本発明は、通信ネットワーク接続装置が、ユーザ端末よりユーザ端末識別情報を受付けて、そのユーザ端末識別情報を送信する。そして接続許可判定装置が、通信ネットワーク接続装置から受信したユーザ端末識別情報がユーザ端末識別情報の一覧にあるか否かに基づいて前記接続の許可判定を行い、ユーザ端末情報が前記一覧にある場合にのみ接続許可情報を生成して送信する。通信ネットワーク接続装置は、接続許可情報の受信に基づいてユーザ端末の前記通信ネットワークへの接続を行う。
これにより、ユーザはホットスポットにおいてインターネット接続をする場合には、ユーザＩＤやパスワードなどの認証情報を入力しなくてもインターネットへ接続することができる。またＭＡＣアドレスによって、接続許可が判定されるので、本実施形態の通信ネットワーク接続方法を利用しているホットスポットであれば、ユーザはホットスポット毎の認証方法に応じたソフトウェアをユーザ端末４にインストールしなくてもよい。
【０００７】
また本発明は、メール送信装置を備えた前記通信ネットワーク接続システムであって、前記ユーザ端末識別情報記憶手段が、前記ユーザ端末識別情報と前記ユーザ端末の電子メールアドレスとを対応付けた前記一覧を予め保持しておき、前記接続許可情報送信手段が、前記電子メールアドレスを送信する電子メールアドレス送信手段を備え、前記メール送信装置において、前記通信ネットワーク接続地点固有の電子メールを記憶する電子メール記憶手段と、前記接続許可判定装置が送信した前記電子メールアドレスを受信して、前記電子メールを前記電子メール記憶装置から読み出し、その読み出した前記電子メールを前記受信した電子メールアドレス宛てに送信する電子メール送信手段とを備えることを特徴とする。
【０００８】
上述の構成によれば、接続許可判定装置が、接続許可情報と共に電子メールアドレスを送信し、メール送信装置が、接続許可判定装置の送信した電子メールアドレスを受信して、電子メールを電子メール記憶装置から読み出し、その読み出した電子メールを接続許可判定装置より受信した電子メールアドレス宛てに送信する。これによりユーザがユーザ端末を用いてインターネットに接続すると広告メールがユーザ端末宛てのメールアドレスに送信されるので、ホットスポット固有の広告をユーザに対して行うことができる。
【０００９】
また本発明は、前記ユーザ端末識別情報はＭＡＣアドレスであり、前記ユーザ端末は無線通信を利用して前記通信ネットワーク接続装置にアクセスし、前記ユーザ端末識別情報を送信することを特徴とする。
【００１０】
また本発明は、前記メール送信装置が、前記ユーザ端末が送信したユーザ端末識別情報を受信して前記接続許可判定装置に転送するユーザ端末識別情報転送手段と、前記接続許可判定装置が送信した前記接続許可情報を前記通信ネットワーク接続装置に転送する接続許可情報転送手段とを備えることを特徴とする。
【００１１】
また本発明は、ユーザ端末の通信ネットワークへの接続を行う通信ネットワーク接続装置と、ユーザ端末識別情報の一覧を保持するユーザ端末識別情報記憶手段を備えた前記接続の許可判定を行う接続許可判定装置とを有し、前記通信ネットワーク接続装置を複数の異なる通信ネットワーク接続地点に設置した通信ネットワーク接続システムにおける通信ネットワーク接続方法であって、前記通信ネットワーク接続装置が、前記ユーザ端末より当該ユーザ端末を一意に特定できるユーザ端末識別情報を受付けるユーザ端末識別情報受付過程と、前記通信ネットワーク接続装置が、前記ユーザ端末識別情報を送信するユーザ端末識別情報送信過程と、前記接続許可判定装置が、前記通信ネットワーク接続装置から受信した前記ユーザ端末識別情報が前記ユーザ端末識別情報の一覧にあるか否かに基づいて前記接続の許可判定を行い、前記ユーザ端末情報が前記一覧にある場合にのみ前記通信ネットワークへの接続許可を示す前記接続許可情報を生成する接続許可判定過程と、前記接続許可判定装置が、前記接続許可情報を送信する接続許可情報送信過程と、前記通信ネットワーク接続装置が、前記接続許可判定装置の送信した前記接続許可情報の受信に基づいて前記ユーザ端末の前記通信ネットワークへの接続を行う接続許可過程とを備えることを特徴とする通信ネットワーク接続方法である。
【００１２】
また本発明は、前記通信ネットワーク接続地点固有の電子メールを記憶する電子メール記憶手段を備えたメール送信装置と、前記ユーザ端末識別情報と前記ユーザ端末の電子メールアドレスと対応付けた前記一覧を予め保持する前記ユーザ端末識別情報記憶手段を備えた前記接続許可判定装置とを有する前記通信ネットワーク接続システムにおける通信ネットワーク接続方法であって、前記接続許可判定装置が、前記接続許可情報と共に前記電子メールアドレスを送信する電子メールアドレス送信過程と、前記メール送信装置が、前記接続許可判定装置の送信した前記電子メールアドレスを受信して、前記電子メールを前記電子メール記憶装置から読み出し、その読み出した前記電子メールを前記受信した電子メールアドレス宛てに送信する電子メール送信過程とを備えることを特徴とする。
【００１３】
【発明の実施の形態】
以下、本発明の一実施形態による通信ネットワーク接続システムを図面を参照して説明する。図１は、この発明の一実施形態による通信ネットワーク接続システムの構成を示す概略ブロック図である。
この図において符号１はユーザ端末からのインターネットへの接続を受付けて、当該インターネットへの接続を処理するインターネット接続装置である。また２はインターネットへのユーザ端末の接続処理の際に当該ユーザ端末に広告メールなどの電子メールを送信するメール送信装置である。また３はユーザ端末のＭＡＣ（Ｍｅｄｉａ  Ａｃｃｅｓｓ  Ｃｏｎｔｒｏｌ）アドレス（ユーザ端末識別情報）に基づいて、インターネットへの接続の許可判定を行う接続許可判定装置である。また４はユーザ端末である。また５はインターネットである。そして、インターネット接続装置１とメール送信装置２と接続許可判定装置３により通信ネットワーク接続システムが構成される。尚、本実施形態においては、インターネット接続装置１とメール送信装置２は例えば図示しないルータなどを介して、インターネットに接続された接続許可判定装置３と後述する処理により各種情報の送受信を行う。
【００１４】
尚、インターネット接続装置１とメール送信装置２はホットスポットと呼ばれるインターネット接続地点ごとに備えられており、ユーザはホットスポット内に設置されたインターネット接続装置１にアクセスすることによりインターネットへ接続することができる。尚、ユーザ端末４とインターネット接続装置１とを接続する方法は無線による接続方法でもよいし、有線による接続方法でも良い。
【００１５】
そして、インターネット接続装置１において符号１１は、ユーザ端末４のインターネットへの接続要求を受付ける処理と、接続許可判定装置３から送信された接続許可情報に基いてユーザ端末のインターネットへの接続を処理するインターネット接続部（ユーザ端末識別情報受付手段、接続部）である。また符号１２はユーザ端末からの接続要求に含まれるユーザ端末のＭＡＣアドレスをインターネット接続処理部１１から受付けてメール送信装置２に送信するＭＡＣアドレス送信部（ユーザ端末識別情報送信手段）である。
【００１６】
また、メール送信装置２において、符号２１はインターネット接続装置１から送信されたユーザ端末４のＭＡＣアドレスを接続許可判定装置３に転送するＭＡＣアドレス転送部である。また２２は接続許可判定装置３から送信される接続許可情報をインターネット接続装置１に転送する接続許可情報転送部である。また２３は接続許可判定装置３から接続装置と共に送信されるユーザ端末４の電子メールアドレス宛てに電子メール記憶部に記録されている電子メールを送信する電子メール送信部（電子メール送信手段）である。また２４は広告などの情報を保持する電子メールを記憶した電子メール記憶部（電子メール記憶手段）である。
【００１７】
また接続許可判定装置３において、符号３１はユーザ端末４のＭＡＣアドレスの受信や接続許可情報やユーザ端末４のメールアドレスの送信を行う送受信部（接続許可情報送信手段、電子メールアドレス送信手段）である。また３２は受信したユーザ端末４のＭＡＣアドレスがＭＡＣアドレス一覧に記録されている場合にのみ、インターネットへの接続許可を示す接続許可情報を生成する接続許可判定部（接続許可判定手段）である。また３３はユーザ端末４のＭＡＣアドレスと当該ユーザ端末４に電子メールを送信する為の電子メールアドレスを対応付けたＭＡＣアドレス一覧を記憶するＭＡＣアドレス一覧記憶部（ユーザ端末識別情報記憶手段）である。
またユーザ端末４において符号４１はユーザの指示に基づいてインターネット接続装置１に接続要求を送信するインターネット接続処理部である。また４２はユーザ端末４特有のＭＡＣアドレスを記憶するＭＡＣアドレス記憶部である。尚、ＭＡＣアドレス記憶部は具体的にはユーザ端末４が備えているＮＩＣ（Ｎｅｔｗｏｒｋ  Ｉｎｔｅｒｆａｃｅ  Ｃａｒｄ）や無線通信装置などが保持するＲＯＭ（Ｒｅａｄ  Ｏｎｌｙ  Ｍｅｍｏｒｙ）であり、当該メモリに上にＭＡＣアドレスが記録されている。そしてこのＭＡＣアドレスがユーザ端末を一意に特定できるユーザ端末固有の情報となる。
【００１８】
そして、本実施形態においては、まず、ユーザ端末４がインターネット接続装置１に接続し、その接続においてユーザ端末から送信された接続要求に含まれるＭＡＣアドレスを、インターネット接続装置１がメール送信装置２に送信する。そして、メール送信装置２が接続許可判定装置３にＭＡＣアドレスを転送し、接続許可判定装置３がＭＡＣアドレスに基づいてユーザ端末４のインターネットへの接続許可を判定する。そして接続許可する場合には接続許可判定装置３はインターネットへの接続許可を示す接続許可情報とユーザ端末のメールアドレスとをメール送信装置２に送信し、メール送信装置２が接続許可情報をインターネット接続装置１に転送する。そして、インターネット接続装置１は接続許可情報に基づいてユーザ端末４のインターネットへの接続を行う。また、メール送信装置２はユーザ端末のメールアドレス宛てにホットスポット固有の広告メールを送信する。
【００１９】
次に、通信ネットワーク接続システムにおいてユーザ端末４がインターネットへ接続する際の各装置の処理の詳細について順を追って説明する。
まず、ユーザはユーザ端末４にインターネットへの接続を指示すると、ユーザ端末４のインターネット接続処理部４１はインターネット接続装置１に接続要求を送信する。尚、この接続要求はユーザ端末４に備えられたＮＩＣや無線通信装置が送信するが、接続要求が送信される際に当該接続要求にＭＡＣアドレスが格納されて送信される。
【００２０】
次に、インターネット接続装置１のインターネット接続部１１がユーザ端末４からの接続要求を受信する。するとインターネット接続装置１のＭＡＣアドレス送信部１２はインターネット接続部１１が受信した接続要求に含まれるユーザ端末４のＭＡアドレスを読み取って、メール送信装置２に送信する。
次に、メール送信装置２においてＭＡＣアドレス転送部２１がインターネット接続装置１から送信されたＭＡＣアドレスを受信して、インターネットを介して接続許可判定装置３に転送する。
【００２１】
次に、接続許可判定装置３の送受信部３１がユーザ端末ＡのＭＡＣアドレスを受信し、当該ＭＡＣアドレスを接続許可判定部３２に転送する。そして接続許可判定部３２はＭＡＣアドレス一覧記憶部３３において転送を受けたＭＡＣアドレスが記録されているか否かを判定し、当該ＭＡＣアドレスが記録されている場合には接続許可を示す接続許可情報を生成する。そして、接続許可判定部３２は接続許可情報のメール送信装置２への送信を送受信部３１に指示し、送受信部３１が接続許可情報をメール送信装置２へ送信する。また接続許可判定部３２はＭＡＣアドレス一覧記憶部３３に記録されているか否かを判定したＭＡＣアドレスに対応付けられて当該ＭＡＣアドレス一覧記憶部３３に記録されている電子メールアドレスのメール送信装置２への送信を送受信部３１に指示する。そして、送受信部３１はユーザ端末４の電子メールアドレスをメール送信装置２に送信する。
【００２２】
次にメール送信装置２において、接続許可判定装置３から送信された接続許可情報を接続許可情報転送部２２が受信し、接続許可情報転送部２２はインターネット接続許可判定装置１に接続許可情報を転送する。またメール送信装置２において、電子メール送信部２３は接続許可判定装置３から送信された電子メールアドレスを受信し、当該電子メールアドレス宛てに電子メール記憶部２４に記録されている広告の内容が記された電子メール（広告メール）を送信する。
次に、インターネット接続許可判定装置１のインターネット接続許可部１１がメール送信装置２から接続許可情報の転送を受付けて、ユーザ端末４の接続要求に対応するインターネットの接続を行う。
【００２３】
尚、本実施形態は特許請求の範囲に記載された発明を限定するものではなく、また実施の形態の中で説明されている特徴の組合せの全てが発明の解決手段に必要であるとは限らない。
【００２４】
また、上述のインターネット接続許可判定装置とメール送信装置と接続許可判定装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。また、本実施形態において接続許可判定装置はＭＡＣアドレスを用いてユーザ端末のインターネット接続の許可判定を行っているが、ＭＡＣアドレスに限らず、ユーザ端末のハードウェアに固有の、変更する事の出来ない物理アドレスであればよい。
【００２５】
【発明の効果】
以上説明したように、この発明によれば、通信ネットワーク接続装置が、ユーザ端末よりユーザ端末識別情報を受付けて、そのユーザ端末識別情報を送信する。そして接続許可判定装置が、通信ネットワーク接続装置から受信したユーザ端末識別情報がユーザ端末識別情報の一覧にあるか否かに基づいて前記接続の許可判定を行い、ユーザ端末情報が前記一覧にある場合にのみ接続許可情報を生成して送信する。通信ネットワーク接続装置は、接続許可情報の受信に基づいてユーザ端末の前記通信ネットワークへの接続を行う。
これにより、ユーザはホットスポットにおいてインターネット接続をする場合には、ユーザＩＤやパスワードなどの認証情報を入力しなくてもインターネットへ接続することができる。またＭＡＣアドレスによって、接続許可が判定されるので、本実施形態の通信ネットワーク接続方法を利用しているホットスポットであれば、ユーザはホットスポット毎の認証方法に応じたソフトウェアをユーザ端末４にインストールしなくてもよい。
【００２６】
また、接続許可判定装置が、接続許可情報と共に電子メールアドレスを送信し、メール送信装置が、接続許可判定装置の送信した電子メールアドレスを受信して、電子メールを電子メール記憶装置から読み出し、その読み出した電子メールを接続許可判定装置より受信した電子メールアドレス宛てに送信する。これによりユーザがユーザ端末を用いてインターネットに接続すると広告メールがユーザ端末宛てのメールアドレスに送信されるので、ホットスポット固有の広告をユーザに対して行うことができる。
【図面の簡単な説明】
【図１】この発明の一実施形態による通信ネットワーク接続システムの構成を示す概略ブロック図である。
【符号の説明】
１  インターネット接続装置
２  メール送信装置
３  接続許可判定装置
４  ユーザ端末
【図１】
2004295558.tif 000003